(57)【要約】【課題】上面両端部に把手が形成された複数のバッテリを小さなスペースに効率良く設置可能なバッテリ搭載構造を提供する。【解決手段】建設機械に、長方形のバッテリ搭載部１を設け、該バッテリ搭載部１内に、２つのバッテリ２，３を収納する。バッテリ２，３には、長手方向の両端部に把手２ａ，３ａが設けられる。バッテリ搭載部１内において、バッテリ２，３は、把手２ａ，３ａが設けられた側面を突き合わせ、その突き合わされた各側面を左右方向に所定量だけずらし、かつ、バッテリ搭載部１を構成する各壁面Ｃに対して斜めに配置する。【選択図】図１
2010168779.tif 000002
【特許請求の範囲】
【請求項１】
上面両端部に把手が設けられた複数のバッテリを、車体に設定された平面形状が四角形のバッテリ搭載部内に搭載してなる建設機械において、
前記複数のバッテリを、前記把手が設けられた側面を相互にずらし、かつ、前記バッテリ搭載部を構成する少なくとも１つの壁面に対して斜めに配置したことを特徴とする建設機械。
【請求項２】
前記複数のバッテリを、前記把手が設けられた側面どうしを対向させて配置したことを特徴とする請求項１に記載の建設機械。
【請求項３】
前記複数のバッテリを、前記把手が設けられていない側面どうしを対向させて配置したことを特徴とする請求項１に記載の建設機械。
【発明の詳細な説明】
【技術分野】
【０００１】
本発明は、エンジン始動用電源などとして用いられるバッテリが搭載された建設機械に係り、特に、車体に対するバッテリの取付構造に関する。
【背景技術】
【０００２】
油圧ポンプの駆動源としてエンジンを用いる建設機械には、エンジン始動用電源としてバッテリが搭載されている。また、このバッテリは、建設機械に備えられる照明装置等の各種電装品用の電源、及びマイクロコンピュータを備えた制御装置等の各種電子機器用の電源としても利用される。
【０００３】
このように、近年の建設機械は、消費電力が大きいため、バッテリが１つだけでは足りず、複数個のバッテリの搭載が必要になる場合もあるが、建設機械の床面は狭く、しかも床面の形状が複雑な場合も多いので、複数のバッテリを搭載可能なスペースを確保することが困難である。
【０００４】
従来、このような問題を解決するため、複数のバッテリの向きを相互に９０度ずつ変更して、狭いバッテリ搭載部内に複数のバッテリを効率的に搭載できるようにしたもの（例えば、特許文献１参照。）や、平面形状が異なる複数種のバッテリを組合わせて、狭いバッテリ搭載部内に複数のバッテリを効率的に搭載できるようにしたもの（例えば、特許文献１参照。）などが提案されている。
【先行技術文献】
【特許文献】
【０００５】
【特許文献１】特開２００２−１７３９４９号公報
【特許文献２】特開２００７−２６１５４３号公報
【発明の概要】
【発明が解決しようとする課題】
【０００６】
しかしながら、特許文献１に記載の技術は、バッテリの設定に複雑なケース及び保持部材を必要とするので、部品コストが高く、かつ建設機械に対するバッテリの搭載作業や建設機械からのバッテリの取り外し作業に多大の労力を要するという問題がある。また、特許文献２に記載の技術は、平面形状が異なる複数種のバッテリを用意しなくてはならないので、建設機械の組立時において、その管理に多大の労力を要し、建設機械が高コスト化するという問題がある。
【０００７】
また、これら特許文献１，２においては、上面両端部に把手が設けられたバッテリを用いることについて何らの考慮もされておらず、建設機械に対するバッテリの搭載作業及び建設機械からのバッテリの取り外し作業を効率化する上で、改善の余地がある。即ち、車載バッテリとして、上面両端部に把手が設けられたものと用いれば、特別な治具を用いることなくバッテリを容易に持ち上げることができるので、建設機械に対するバッテリの取り付け・取り外し作業を容易なものにすることができる。
【０００８】
しかしながら、上面両端部に把手が設けられたバッテリは、把手が形成された側面を突き合わせて複数のバッテリを配置すると、把手に指をかけることが著しく困難になって、作業性が害されたり、作業時に誤って手指を挟みやすくなるので、狭いバッテリ搭載部内に複数のバッテリを搭載することが可能で、しかも良好な作業性や安全性を確保できるバッテリの配列を工夫する必要がある。
【０００９】
本発明は、かかる従来技術の問題を解消するためになされたものであり、その目的は、上面両端部に把手が形成された複数のバッテリを小さなスペースに効率良く設置可能なバッテリ搭載構造を提供することにある。
【課題を解決するための手段】
【００１０】
本発明は、上記目的を達成するため、第１に、上面両端部に把手が設けられた複数のバッテリを、車体に設定された平面形状が四角形のバッテリ搭載部内に搭載してなる建設機械において、前記複数のバッテリを、前記把手が設けられた側面を相互にずらし、かつ、前記バッテリ搭載部を構成する少なくとも１つの壁面に対して斜めに配置するという構成にした。
【００１１】
かかる構成によると、バッテリの把手が設けられた側面を相互にずらすので、把手を持ちやすく、建設機械に対するバッテリの取り付け・取り外し作業時における良好な作業性及び安全性が確保される。また、バッテリ搭載部を構成する少なくとも１つの壁面に対してバッテリを斜めに配置するので、壁面に対してバッテリを平行に配置する場合とは異なり、壁面とバッテリとの間の一部に広い空間を設けることができる。よって、この空間を利用してハーネス、ホース、その他の部材を配置することができ、バッテリ搭載部の有効利用が図れると共に、バッテリの最低液面線を目視しやすくなることから、バッテリのメンテナンスを行いやすくなる。
【００１２】
本発明は第２に、前記第１の建設機械において、前記複数のバッテリを、前記把手が設けられた側面どうしを対向させて配置するという構成にした。
【００１３】
バッテリの把手は、通常、バッテリ本体の長手方向の端部に設けられているので、バッテリの把手が設けられた側面どうしを対向させて複数のバッテリを配置することにより、細長い平面形状を有するバッテリ搭載部への適用が可能になる。
【００１４】
本発明は第３に、前記第１の建設機械において、前記複数のバッテリを、前記把手が設けられていない側面どうしを対向させて配置するという構成にした。
【００１５】
上述の通り、バッテリの把手は、通常、バッテリ本体の長手方向の端部に設けられているので、バッテリの把手が設けられていない側面どうしを対向させて複数のバッテリを配置することにより、縦横比が小さい平面形状を有するバッテリ搭載部への適用が可能になる。
【発明の効果】
【００１６】
本発明の建設機械は、複数のバッテリを、把手が設けられた側面を相互にずらし、かつ、バッテリ搭載部を構成する少なくとも１つの壁面に対して斜めに配置するので、建設機械に対するバッテリの取り付け・取り外し作業時における良好な作業性及び安全性が確保されると共に、壁面とバッテリとの間の一部に広い空間を設けることができ、バッテリ搭載部の有効利用と、バッテリのメンテナンスの容易化とを図ることができる。
【図面の簡単な説明】
【００１７】
【図１】実施形態に係る建設機械のバッテリ搭載部を示す平面図である。
【図２】実施形態に係る建設機械のバッテリ搭載部を示す斜視図である。
【図３】実施形態に係る建設機械に適用されるバッテリ固定具の斜視図である。
【図４】他の実施形態に係る建設機械のバッテリ搭載部を示す平面図である。
【図５】さらに他の実施形態に係る建設機械のバッテリ搭載部を示す平面図である。
【発明を実施するための形態】
【００１８】
以下、本発明に係る建設機械の実施形態を、図１乃至図３に従って説明する。
【００１９】
実施形態に係る建設機械には、図１及び図２に示すように、ラジエータの設置スペースＡ及びユーティリティスペースＢに隣接して長方形のバッテリ搭載部１が設けられており、該バッテリ搭載部１内に、２つのバッテリ２，３が収納されている。これら２つのバッテリ２，３は、長手方向の両端部に把手２ａ，３ａが設けられている。バッテリ搭載部１内において、これら２つのバッテリ２，３は、把手２ａ，３ａが設けられた側面を突き合わせて配置し、その突き合わされた各側面を左右方向に所定量だけずらし、かつ、バッテリ搭載部１を構成する各壁面Ｃに対して斜めに配置されている。
【００２０】
バッテリ搭載部１内に収納されたバッテリ２，３は、図３に示すように、ねじ棒１１と、締め付け金具１２と、蝶ナット１３とからなる固定具４をもって固定される。ねじ棒１１は、下端部にフック１１ａを形成すると共に、上端部に雄ねじ１１ｂを形成してなる。一方、締め付け金具１２は、その両端部に、ねじ棒１１の上端部を貫通するためのねじ貫通孔（図示省略）が開設されている。バッテリ２，３の固定は、ねじ棒１１の下端部に形成されたフック１１ａをバッテリ搭載面に形成されたフック係合部１４に係合すると共に、その上端部に形成された雄ねじ１１ｂを、バッテリ１の上面側に配置された締め付け金具１２のねじ貫通孔に貫通し、締め付け金具１２の上面より上方に突出したねじ棒１１の雄ねじ１１ｂに蝶ナット１３を螺合することにより行われる。
【００２１】
本例の建設機械は、バッテリ２，３の把手２ａ，３ａが設けられた側面を相互にずらすので、何れのバッテリ２，３についても把手２ａ，３ａが把持しにくくなることが無く、バッテリ搭載部１に対するバッテリ２，３の取り付け・取り外し作業時における良好な作業性が確保される。また、一方のバッテリ２の把手２ａを掴んだときに、手指が他方のバッテリ３の把手３ａに当たりにくくなるので、把手２ａ，３ａの間に手指を挟み込みにくく、作業の安全性が確保される。さらに、バッテリ搭載部１を構成する壁面Ｃに対してバッテリ２，３を斜めに配置するので、壁面Ｃに対してバッテリ２，３を平行に配置する場合とは異なり、図１に示すように、壁面Ｃとバッテリ２，３との間の一部に広い空間Ｄを設けることができ、この空間Ｄを利用してハーネス、ホース、その他の部材を配置することができて、バッテリ搭載部１の有効利用を図ることができる。加えて、壁面Ｃとバッテリ２，３との間の一部に広い空間Ｄを設けることができることから、図２に示すように、バッテリ２，３の前方に壁面Ｃがある場合にも、バッテリ２，３の最低液面線５を目視しやすくなり、バッテリ２，３のメンテナンスを容易化することができる。
【００２２】
なお、上述の実施形態では、バッテリ搭載部１の平面形状が長方形である場合を例にとって説明したが、図４に示すように、バッテリ搭載部１の平面形状が長方形及び正方形以外の四角形である場合にも、同様に実施することができる。
【００２３】
また、上述の実施形態では、２つのバッテリ２，３を、把手２ａ，３ａが設けられた側面を突き合わせて配置する場合を例にとって説明したが、図５に示すように、把手２ａ，３ａが設けられていない側面を突き合わせて、２つのバッテリ２，３を配置する場合にも、同様に実施することができる。本例のバッテリ搭載方式は、縦横比が小さい平面形状を有するバッテリ搭載部１に対して、好適に適用することができる。
【産業上の利用可能性】
【００２４】
本発明は、油圧ショベルなどの建設機械の搭載バッテリに利用することができる。
【符号の説明】
【００２５】
１    バッテリ搭載部
２，３    バッテリ
２ａ，３ａ    把手
４    固定具
５    最低液面線
１１    ねじ棒
１２    締め付け金具
１３    蝶ナット１３
１４    フック係合部
Ａ    ラジエータの設置スペース
Ｂ    ユーティリティスペース
Ｃ    バッテリ搭載部の壁面
Ｄ    利用可能空間
【図１】
2010168779.tif 000003
【図２】
2010168779.tif 000004
【図３】
2010168779.tif 000005
【図４】
2010168779.tif 000006
【図５】
2010168779.tif 000007